(57)【要約】【課題】仕掛けの投入する場合にも、魚を掛け合わせたり魚を取り込む場合にも操作のし易い釣り竿のグリップ構造を提供する。【解決手段】元竿１に外嵌された状態で竿軸線方向に移動可能な竿先側グリップ部２と、元竿１に固定された竿元側グリップ部３とを配置する。竿先側グリップ部２を竿元側グリップ部３に組み合わせてグリップＡ全体を形成する組み合わせ姿勢と、竿先側グリップ部２を竿元側グリップ部３より離間させて竿先側に位置させる分割姿勢とに、切換可能に構成してある。【選択図】図２
2010115160.tif 000002
【特許請求の範囲】
【請求項１】
竿体に、竿先側に配置された竿先側グリップ部と、竿元側に配置された竿元側グリップ部とからなるグリップを取付け、前記グリップを、前記竿先側グリップ部と前記竿元側グリップ部とを組み合わせた組み合わせ姿勢と、竿軸線方向において離間した分割姿勢とに、切換可能に構成してある釣り竿のグリップ構造。
【請求項２】
竿体に外嵌された状態で竿軸線方向に移動可能な竿先側グリップ部と、前記竿体に固定された竿元側グリップ部とを配置し、前記竿先側グリップ部を前記竿元側グリップ部に組み合わせてグリップ全体を形成する組み合わせ姿勢と、前記竿先側グリップ部を前記竿元側グリップ部より離間させて竿先側に位置させる分割姿勢とに、切換可能に構成してある釣り竿のグリップ構造。
【請求項３】
前記竿先側グリップ部の軸線位置に貫通孔を形成し、前記貫通孔に臨む内縁部に、前記竿先側グリップ部を前記竿体に取り付けた状態で、前記竿体の外周面に弾性的に当接して前記竿先側グリップ部の位置を保持する保持具を装着してある請求項１又は２記載の釣り竿のグリップ構造。
【請求項４】
前記竿先側グリップ部と前記竿元側グリップ部に、前記組み合わせ姿勢において、その組み合わせ姿勢を維持する磁石を装着してある請求項１〜３のうちのいずれか一項に記載の釣り竿のグリップ構造。
【発明の詳細な説明】
【技術分野】
【０００１】
本発明は、釣り竿のグリップ構造に関する。
【背景技術】
【０００２】
釣り竿のグリップは、竿体に固定されていた（特許文献１参照）。
【０００３】
【特許文献１】特開２００５−２８７３７９号公報（段落番号〔００１６〕、及び、図１）
【発明の開示】
【発明が解決しようとする課題】
【０００４】
釣り竿のグリップは、ヘラ竿等にあっては手の平にフィットする紡錘形の形状を呈して竿体に固定されているので、仕掛けを投入する場合や魚を吊り上げる場合にもそのグリップを持って行なわざるを得ない。
そうすると、グリップ位置が元竿の竿元側端部に固定されているので、仕掛けを投入する場合も、魚を取り込む場合も、グリップから穂先までの長さが同一である。また、グリップを握った利き手だけで操作する必要もある。
グリップから穂先までの長さを長い状態に設定すると、利き手でグリップを握り、他方の手で餌を付けた仕掛けを持ってその仕掛けをアンダーハンドで投入する場合に、遠くまで仕掛けを投入することができて、広い範囲に亘って魚を探ることができることとなるので、適切な長さになる。
しかし、魚の当たりを捉えて掛け合わせを行う場合やグリップを握った利き手を持ち上げて釣り竿を縦姿勢にして魚を引き寄せて取り込む場合には、穂先までの長さが長いグリップを持って、掛け合わせを行ったり魚を取り込むこととなるので、取り込み難い面があった。
反対に、グリップから穂先までの長さを短い状態に設定すると、掛け合わせや取り込みは容易になるが、仕掛けを投入する場合には、遠くまで仕掛けを投入することができず、仕掛けを投入する範囲を広く探ることができない虞があった。
また、常にグリップが一箇所である場合には、魚を取り込む場合にも、利き手でグリップを握った状態で行わねばならず、釣り竿を縦姿勢にして持ち上げる高さが高いものになり、操作が遣りずらい面があった。
【０００５】
本発明の目的は、仕掛けの投入する場合にも、魚を掛け合わせたり魚を取り込む場合にも操作のし易い釣り竿のグリップ構造を提供する点にある。
【課題を解決するための手段】
【０００６】
〔構成〕
請求項１に係る発明の特徴構成は、竿体に、竿先側に配置された竿先側グリップ部と、竿元側に配置された竿元側グリップ部とからなるグリップを取付け、前記グリップを、前記竿先側グリップ部と前記竿元側グリップ部とを組み合わせた組み合わせ姿勢と、竿軸線方向において離間した分割姿勢とに、切換可能に構成してある点にあり、その作用効果は次の通りである。
【０００７】
〔作用〕
このように、グリップを分割できる構成によって、釣り操作に応じて使い分け使用ができ、仕掛けを投入する場合にはグリップから穂先までの長さが長くなる状態で使用し、魚を取り込む場合にはグリップから穂先までの長さが短くなる状態で使用する。
つまり、竿先側グリップ部と竿元側グリップ部とを、組み合わせ姿勢にして使用する状態と、分割して使用する状態とに切換えることができる。
【０００８】
〔効果〕
その結果、釣り操作に応じた使い分けのできる汎用性の高い釣り竿のグリップ構造を提供できるに至った。
【０００９】
請求項２に係る発明の特徴構成は、竿体に外嵌された状態で竿軸線方向に移動可能な竿先側グリップ部と、前記竿体に固定された竿元側グリップ部とを配置し、前記竿先側グリップ部を前記竿元側グリップ部に組み合わせてグリップ全体を形成する組み合わせ姿勢と、前記竿先側グリップ部を前記竿元側グリップ部より離間させて竿先側に位置させる分割姿勢とに、切換可能に構成してある点にあり、その作用効果は次の通りである。
【００１０】
〔作用効果〕
つまり、仕掛けを投入する場合には、グリップを利き手で握って行うので、竿先側グリップ部と竿元側グリップ部とを組み合わせて使用することができ、魚を掛け合わせる場合や取り込む場合には、分割して竿先側グリップ部を竿先側に移動させて使用することができる。
これによって、グリップの構造として、仕掛けを投入する場合は、利き手で握りやすい組み合わせ姿勢に設定でき、魚を掛け合わせる場合や取り込む場合には、竿先側グリップ部を竿先側に移動させて竿元側グリップ部から分割して、竿先側グリップ部を握って魚を掛け合わせたり取り込むことができる。
また、魚を引き寄せる場合には、竿先側グリップと竿元側グリップ部とに両手を添えて魚を引き寄せることが可能となり、玉網に収納するまでは両手で操作することも可能であり、分割姿勢にしたグリップを有効に活用することができる。
【００１１】
請求項３に係る発明の特徴構成は、前記竿先側グリップ部の軸線位置に貫通孔を形成し、前記貫通孔に臨む内縁部に、前記竿先側グリップ部を前記竿体に取り付けた状態で、前記竿体の外周面に弾性的に当接して前記竿先側グリップ部の位置を保持する保持具を装着してある点にあり、その作用効果は次の通りである。
【００１２】
〔作用効果〕
竿先側グリップ部が保持具によって位置保持されるので、移動位置での位置保持が可能である。それに加えて、位置保持力を保持具が竿体の外周面に弾性的に当接することによって発現させているので、その保持力に抗して操作力を加えると竿先側グリップ部を移動させることができる。
これによって、竿先側グリップ部を位置保持しながら、移動可能な機能を付与するのに、竿体の外周面に弾性的に当接する保持具を設けるだけでよい。
【００１３】
請求項４に係る発明の特徴構成は、前記竿先側グリップ部と前記竿元側グリップ部に、前記組み合わせ姿勢において、その組み合わせ姿勢を維持する磁石を装着してある点にあり、その作用効果は次の通りである。
【００１４】
〔作用効果〕
磁石によって、竿先側グリップ部と竿元側グリップ部とが組み合わせ姿勢に維持できるので、組み合わせ姿勢のグリップを握った場合に、シッカリ握ることができ、仕掛けの投入等が容易に行われるようになる。一方、磁力に打ち勝つ移動操作力を加えるだけで分割姿勢に切換えることができる。
このように、磁石を取り付けるだけで、位置保持及び分割を容易に行うことができるようになった。
【発明を実施するための最良の形態】
【００１５】
ヘラ竿等の釣り竿のグリップ構造について説明する。図１及び図２に示すように、竿体としての元竿１の竿元側端部にグリップＡを設けてある。グリップＡは、竿先側に位置する竿先側グリップ部２と、竿元側に位置する竿元側グリップ部３とで構成してある。
竿先側グリップ部２は、元竿１に対してその軸線方向にスライド移動自在に外嵌されている。竿元側グリップ部３は、元竿１に接着固定されている。
【００１６】
竿元側グリップ部３について説明する。竿元側グリップ部３は、元竿１の外周面１Ａに接着剤を介して固着されているコア部材３Ａと、コア部材３Ａの外側に装着されている繊維製の被覆体３Ｂ及び尻栓５とで構成してある。
【００１７】
コア部材３Ａの構成について説明する。図２に示すように、コア部材３Ａは発泡ウレタン又はウレタンゴムを材料として成形されたもので、紡錘型の外形のものを略半分に分割した形状を呈している。コア部材３Ａの軸線位置には貫通孔３ａが形成され、そのコア部材３Ａは、元竿１の外周面１Ａにその貫通孔３ａ部分を外嵌させることによって、元竿１に取付固定される。
【００１８】
被覆体３Ｂの構成について説明する。図２、図３に示すように、使用する繊維としては、ナイロン、ポリエステル、ビニロン等の合成樹脂繊維、或いは、綿糸、絹糸等も使用できる。これらの繊維３ｃを複数本引き揃えて幅広偏平な紐材３ｂに構成したものであり、紐材３ｂを縦横に編み込み袋形状に形成して被覆体３Ｂを構成する。
【００１９】
竿先側グリップ部２について説明する。竿先側グリップ部２は、元竿１の外周面１Ａに軸線方向にスライド移動自在に外嵌されているコア部材２Ａと、コア部材２Ａの外側に装着されている繊維製の被覆体２Ｂとで構成してある。
【００２０】
竿先側グリップ部２のコア部材２Ａの構成について説明する。図１〜図３に示すように、コア部材２Ａは竿元側グリップ部３のコア部材３Ａと同様の材料で成形されたもので、紡錘型の外形のものを略半分に分割した形状を呈している。
つまり、コア部材２Ａとコア部材３Ａとは、元来、紡錘型の外形を呈する部材を二分割したものであり、両方が組み合わされた状態で単一の紡錘型外形を呈することとなる。
【００２１】
コア部材２Ａの軸線位置には貫通孔２ａが形成され、元竿１にその貫通孔２ａ部分を外嵌させることによって、元竿１の軸線方向にスライド移動自在に構成してある。また、コア部材２Ａの貫通孔２ａに臨む内縁部に、竿先側グリップ部２を元竿１に取り付けた状態で、元竿１の外周面１Ａに弾性的に当接して竿先側グリップ部２の位置を保持する保持具４を装着してある。
【００２２】
保持具４について説明する。図２及び図４に示すように、保持具４は、コア部材２Ａの貫通孔２ａに臨む内縁部における、竿先側と竿元側との二箇所に設けてある。保持具４は、ゴム製の筒状体であり、筒状体の軸線方向に形成した貫通孔４Ａの内縁部に、円周方向に沿った凹凸条部４ａ、４ｂを形成してある。この凸条部４ｂが元竿１の外周面１Ａに圧接することによって、竿先側グリップ部２の位置保持を行っている。
【００２３】
保持具４の取付は次のような構造によって行っている。図２に示すように、コア部材２Ａの貫通孔２ａに臨む内縁部に、貫通孔２ａの内径より大きな内径の取付座２ｄを設けてある。この取付座２ｄに保持具４を内嵌嵌着してある。取付座２ｄには、竿元側に鍔部２ｅが設けてあり、保持具４は取付座２ｄに取り付けられた状態で、軸線方向において移動しない位置固定状態に保持される。取付座２ｄは竿先側と竿元側との二箇所に形成してあり、二つの保持具４が取り付けられて、協働して竿先側グリップ部２の位置保持機能を担っている。
【００２４】
被覆体２Ｂの構成について説明する。被覆体２Ｂは竿元側グリップ部３の被覆体３Ｂと同様の構成を呈しており、繊維２ｃを複数本引き揃えて幅広偏平な紐材２ｂに構成したものであり、紐材２ｂを縦横に編み込み袋形状に形成して被覆体２Ｂを構成する。
【００２５】
竿先側グリップ部２と竿元側グリップ部３とのコア部材２Ａ、３Ａの接合面構造について説明する。両コア部材２Ａ、３Ａは、前記したように、接合面２ｆ、３ｆを合わせて組み合わせ構成されることによって、紡錘型の一個の部品として形作られるものである。
竿先側グリップ部２の接合面２ｆは、円錐台状に凹入する凹入面に形成してあり、奥側（竿先側）に向かって小径化するものに形成してある。最奥端においては、元竿１の外径より大径の内嵌部２ｇが形成してあり、その奥に更に前記した鍔部２ｅと取付座２ｄとが設けてある。
【００２６】
竿元側グリップ部３の接合面３ｆは、円錐台状に突出する突出面に形成してあり、先端側（竿先側）に向かって小径化するものに形成してある。最先端においては、前記した竿先側グリップ部２の内嵌部２ｇ内に入り込む突出端部３ｇが形成してある。
【００２７】
両コア部材２Ａ、３Ａには、夫々の接合面２ｆ、３ｆの内側に永久磁石６が埋め込んであり、竿先側グリップ部２と竿元側グリップ部３とを組み合わせた場合に、接合面２ｆ、３ｆ同士が合わさった場合に、永久磁石同士が引き合って、竿先側グリップ部２と竿元側グリップ部３との組み合わせ状態が維持される。
竿先側グリップ部２と竿元側グリップ部３との組み合わせを解除して分割姿勢に切換えるには、竿先側グリップ部２を磁力に打ち勝つ操作力を加えて引き離せばよい。
そうすると、竿先側グリップ部２が竿先側に移動して、移動操作を停止することによって、竿先側グリップ部２は保持具４によって位置保持される。
【００２８】
次に、このグリップ構造について、図示してはいないが製造工程を説明する。まず、竿元側グリップ部３について説明する。
（１）  元竿１のグリップ装着部位以外の部位においては、先行して塗装し、ラベル等をスクリーン印刷等によって施して、その後に、元竿１の竿元側端部に竿元側グリップ部２を取り付ける。
【００２９】
（２）  コア部材３となる発泡ウレタン又はウレタンゴム成形品は先行して製造する。図示してはいないが、元竿１の竿元側端部に前記した貫通孔３ａを外嵌して、コア部材３Ａを取り付ける。貫通孔３ａと元竿１の外周面に、貫通孔３ａ部位を外嵌する前に接着剤を施して、接着固定する。
（３）  次に、被覆体３Ｂを施す。適当な長さに裁断形成した袋状の被覆体３Ｂの竿元端開口部分を閉塞する。この被覆体３Ｂを竿先側の開口からコア部材３Ａに被せる。このコア部材３Ａを被せる前に、コア部材３Ａの外周面にウレタン樹脂塗料を施す。
これによって、被覆体３Ｂの内周面をコア部材３Ａの外周面に密着させた状態で被覆させることができる。
【００３０】
コア部材３Ａに被覆体３Ｂを被せた状態で元竿１を軸芯回りで回転させながら、クリア塗料をハケ塗りする。ハケ塗り後は、被覆体３Ｂの竿先端、竿元端において、その端部を適当な長さに裁断する。
その後、被覆体３Ｂの表面に研磨処理を施した後に、被覆体３Ｂの全面に亘って黒色塗料を塗布して黒色塗装層を構成する。この塗料はウレタン系またはエポキシ系の樹脂塗料で被覆体３Ｂとコア部材３Ａとの密着性を高め、毛羽立ちを抑制するためのものである。
【００３１】
次に、グリップ２の仕上工程に入る。被覆体３Ｂの表面に、クリアー塗料を塗布して、被覆体３Ｂを固定する。クリアー塗料を施した後に、図３（ａ）に示すように、ゴム入りウレタン塗料を塗布して、ウレタン塗料層１０を構成する。
【００３２】
ゴム入りウレタン塗料を塗布した後には、図３（ｂ）に示すように、細かい研磨材によって被覆体３Ｂの表面に穏かな研磨処理を施す。研磨後、紐材３ｂの表面に施されているウレタン塗料層１０の表面は、平坦面となっており局部的に手の平に圧接することが回避されるとともに、僅かに表面が荒らされた状態となっており、ウレタン塗料層１０を握った釣り人の手の滑りを抑制することとなる。そして、紐材３ｂ同士の間には、ウレタン塗料層１０が深く削り取られて、凹入部が形成してある。
【００３３】
図３（ｃ）に示すように構成してもよい。被覆体３Ｂを構成する紐材３ｂとウレタン塗料層１０とが、強力な研磨処理を受けて、紐材３ｂの表面が平坦面に形成されているとともに、編み込まれている隣接する紐材３ｂ同士の間には、ウレタン塗料層１０が研磨処理を受けて表面より凹入する状態となり、隣接する紐材３ｂ同士の間に僅かな間隙が形成されることとなる。したがって、このグリップを握った状態では、平坦な紐材３ｂの凹凸感のないかつ柔軟性のある感触と、前記間隙部分での滑り阻止機能により、握り良いグリップを提供できた。
【００３４】
竿元側グリップ部３を元竿１に取り付けた状態で構成する手法を説明した。次に、竿先側グリップ部２の構成について説明すると、竿先側グリップ部２については、元竿１に取り付ける前の工程で形成する。竿先側グリップ部２を構成する部材は、前記したように、コア部材２Ａ、被覆体２Ｂで構成してある。このような構成になる竿先側グリップ部２に保持具４を装着して、元竿１の穂先側から貫通孔２ａ部分を外嵌して装着される。
【００３５】
以上のように、竿先側グリップ部２と竿元側グリップ部３とを取り付けた状態で、実釣時においては、竿受けに元竿１部分を載置した状態で、当たりを察知すると、竿元側グリップ部３を片手で握って掛け合わせを行う。魚が掛かると竿先側グリップ部２を竿先側に移動させて、両グリップ部２、３を握って釣り竿全体を縦姿勢に持ち上げながら、魚を引き寄せて取り込みを行う。このように、魚を取り込む場合に、竿先側に移動させた竿先側グリップ部２によって、魚を引き寄せることができるので、取り込みを容易に行うことができる。
【００３６】
〔別実施形態〕
（１）  上記実施形態においては、竿先側グリップ部２を元竿１に対して移動させる構成を採ったが、元竿１を手先側竿体と手元側竿体との二つを互いに伸縮自在な二つの竿体から構成し、手先側竿体に竿先側グリップ部２を取付け、手元側竿体に竿元側グリップ部３を取り付けて、手先側竿体とともに竿先側グリップ部２を移動させる構成を採ってもよい。
（２）  保持体４としては、上記実施例において、図２及び図４に示すように、凹凸条部４ａ、４ｂを円周方向に沿うもので構成したが、図５に示すように、凹凸条部４ａ、４ｂを軸線に沿った方向に形成するものであってもよい。
また、上記のように、ゴム製の筒状体によって保持体４を構成するものではなく、バネ板を利用したものを装着してもよい。更には、コア部材２Ａ自体の弾性力が大きなものであれば、コア部材２Ａの元竿１に対する圧接作用を期待できるので、その圧接力を利用して竿先側グリップ部２の位置保持が可能であり、特に保持体４を設けなくともよい。
（３）  紐材２ｂ、３ｂを編み込む場合に、必ずしも、竿素材１Ａの軸線方向に対して傾斜する方向ではなく、軸線方向及び周方向に沿って配置してもよい。
（４）  コア部材２Ａ、３Ａとしては、発泡ウレタン又はウレタンゴム製のものを記載したが、コルクやソルボセイン等の他の部材を使用してもよい。
（５）  竿先側グリップ部２と竿元側グリップ部３とを組み合わせ姿勢に維持する永久磁石６の代わりに、図６に示すように、コア部材２Ａの接合面２ｆに向けて突出する係合突起３ｈを、コア部材３Ａの接合面に設けるとともに、コア部材２Ａの接合面２ｆに前記係合突起３ｈと係合離脱可能な係合凹部２ｈを形成して、構成してもよい。係合突起３ｈと係合凹部２ｈとの形成対象を入れ替えてもよい。
【図面の簡単な説明】
【００３７】
【図１】グリップを示し、（ａ）は竿先側グリップ部と竿元側グリップ部とを組み合わせた状態を示す側面図、（ｂ）は竿先側グリップ部を竿元側グリップ部から分割して、竿先側に移動させた状態を示す側面図
【図２】竿先側グリップ部を竿元側グリップ部から分割して、竿先側に移動させた状態を示す縦断側面図
【図３】（ａ）被覆体の上からゴム入りウレタン塗料を塗布した状態を示す一部拡大縦断側面図、（ｂ）ゴム入りウレタン塗料層と被覆体とに対して穏かな研磨処理を施した状態を示す一部拡大縦断側面図、（ｃ）ゴム入りウレタン塗料層と被覆体とに対して強力な研磨処理を施した状態を示す一部拡大縦断側面図
【図４】（ａ）保持体を示す正面図、（ｂ）保持体を示す縦断側面図
【図５】（ａ）保持体の別実施構造を示す正面図、（ｂ）保持体の別実施構造を示す縦断側面図
【図６】竿先側グリップ部と竿元側グリップ部とを組み合わせた状態を維持するものとして、係合突起と係合凹部とで構成するもので、係合突起と係合凹部とを組み合わせる前の状態を示す縦断側面図
【符号の説明】
【００３８】
１              元竿（竿体）
１Ａ            外周面
２              竿先側グリップ部
２Ａ            コア部材
３              竿元側グリップ部
３Ａ            コア部材
４              保持部材
６              磁石
【図１】
2010115160.tif 000003
【図２】
2010115160.tif 000004
【図３】
2010115160.tif 000005
【図４】
2010115160.tif 000006
【図５】
2010115160.tif 000007
【図６】
2010115160.tif 000008